(57)【要約】【課題】  重心位置を自由に調整できるデザイン性に優れたダーツ矢を提供する。【解決手段】チップ１２とバレル１４とシャフト１６とフライト１８とを順に連結したものであって、金属製のバレル１４の一端側に所定長の縮径部２８が形成されており、その外周を包囲するように、プラスチック製のスリーブ１５が設けられている。金属製のバレル１４の一端側に所定長の縮径部２８が形成されているので、バレル１４の重心をバレル１４の他端側にシフトさせることができる。また、縮径により自由に重量調整をすることができる。一方、スリーブ１５を設けることによりバレル１４の外径を整え、ダーツ矢１０全体の形状を円錐形に整えることができる。【選択図】図１
2010046256.tif 000002
【特許請求の範囲】
【請求項１】
チップ１２とバレル１４とシャフト１６とフライト１８とを順に連結したものであって、
金属製のバレル１４の一端側に所定長の縮径部２８が形成されており、その外周を包囲するように、プラスチック製のスリーブ１５が設けられていることを特徴とするダーツ矢。
【請求項２】
請求項１に記載のダーツ矢において、
前記スリーブ１５の外面には、前記バレル１４から前記シャフト１６に至る滑らかな曲面が形成されており、前記スリーブ１５には前記バレル１４の他の部分と異なる色の着色がほどこされていることを特徴とするダーツ矢。
【請求項３】
請求項１に記載のダーツ矢において、
前記スリーブ１５の外面には、前記バレル１４から前記シャフト１６に至る滑らかな曲面が形成されており、前記バレルの縮径部にはバレルの他の部分と異なる色の着色が施され、その外周を包囲するスリーブは透明体からなることを特徴とするダーツ矢。
【発明の詳細な説明】
【技術分野】
【０００１】
本発明は重心位置を自由に調整できるデザイン性に優れたダーツ矢に関する。
【背景技術】
【０００２】
ダーツは、矢を手で掴んで投げて的に当てるという比較的単純に見える競技である。しかし、国際的にも広く普及し、競技の内容も競技に使用する器具も高度化しており、例えば、既に次のような技術が紹介されている（特許文献１参照）。
【特許文献１】特開２００６−２１２２２４号公報
【特許文献２】特開２００７−２０２８９３号公報
【特許文献３】実用新案登録３１３０３８５号公報
【特許文献４】実用新案登録３１３３５４６号公報
【発明の開示】
【発明が解決しようとする課題】
【０００３】
既知の従来の技術には、次のような解決すべき課題があった。
ダーツで的中精度を上げるには、矢のスローイングラインの選定が重要になる。競技者は、矢の微妙なウエイトバランスにも気を遣って、競技のコンディションを整える。例えば、複数種類の矢を準備する。そして、その日のコンディションに応じて使用する矢を選択する。また、チップやシャフトやフライトを好みのものに交換する。しかしながら、矢の重量の大部分を占めるのはバレルの部分である。バレルはステンレスや比重の重いレアメタルが使用されるため高価なものになる。また、手になじんだバレルが使い易く、頻繁に交換するのは望ましくない。そうは言っても、バレル以外のシャフトやフライトを交換しても、ウエイトバランスにはほとんど影響しない。このため、バレル内部にウエイトを挿入して、その位置を調整するものが開発された（特許文献２参照）。また、位置調節のために、バレル内部にねじ切りをしたウエイトを挿入したものも開発された（特許文献３参照）（特許文献４参照）。しかし、タングステン等の比重の重い金属は硬くて加工が容易でない。また、バレルの内部構造を複雑にするとバレルが大型化する。
本発明は上記の課題を解決するダーツ矢を提供することを目的とする。
【課題を解決するための手段】
【０００４】
以下の構成はそれぞれ上記の課題を解決するための手段である。
〈構成１〉
チップ１２とバレル１４とシャフト１６とフライト１８とを順に連結したものであって、金属製のバレル１４の一端側に所定長の縮径部２８が形成されており、その外周を包囲するように、プラスチック製のスリーブ１５が設けられていることを特徴とするダーツ矢。
【０００５】
〈構成２〉
構成１に記載のダーツ矢において、上記スリーブ１５の外面には、上記バレル１４から上記シャフト１６に至る滑らかな曲面が形成されており、上記スリーブ１５には上記バレル１４の他の部分と異なる色の着色がほどこされていることを特徴とするダーツ矢。
【０００６】
〈構成３〉
構成１に記載のダーツ矢において、上記スリーブ１５の外面には、上記バレル１４から上記シャフト１６に至る滑らかな曲面が形成されており、上記バレルの縮径部にはバレルの他の部分と異なる色の着色が施され、その外周を包囲するスリーブは透明体からなることを特徴とするダーツ矢。
【発明の効果】
【０００７】
（１）金属製のバレル１４の一端側に所定長の縮径部２８が形成されているので、バレル１４の重心をバレル１４の他端側にシフトさせることができる。また、縮径により重量調整をすることができる。一方、スリーブ１５を設けることによりバレル１４の外径を整え、ダーツ矢全体の形状を整えることができる。
（２）スリーブ１５の外面に、バレル１４からシャフト１６に至る滑らかな曲面が形成されていると、空気抵抗を少なくすることができる。バレルが前後に２色に塗り分けられていると、２分割構成に見せることができ、デザイン的に優れている。また、スリーブ１５に着色すると、着色のし易いプラスチック製のスリーブ１５により塗り分けができる。
（３）バレルの縮径部２８にバレル１４の他の部分と異なる色の着色が施されて、バレルが前後に２色に塗り分けられていると、２分割構成に見せることができる。また、縮径部２８の外周をスリーブ１５で包囲すると、バレル１４の着色を保護することができる。
【発明を実施するための最良の形態】
【０００８】
以下、本発明の実施の形態を実施例毎に詳細に説明する。
【実施例１】
【０００９】
図１はダーツ矢１０の全体像を示す正面図である。
ダーツ矢１０は、図に示すように、チップ１２とバレル１４とシャフト１６とフライト１８とを順に連結したものである。金属製のバレル１４の一端側には、所定長の縮径部２８（図３で説明する）が形成されており、その外周を包囲するように、プラスチック製のスリーブ１５が設けられている。この図の例では、スリーブ１５の外面には、バレル１４からシャフト１６に至る滑らかな曲面が形成されており、ダーツ矢１０全体が流線型になるよう構成されている。また、スリーブ１５にはバレル１４の他の部分と異なる色の着色がほどこされている。
【００１０】
ダーツ矢１０全体が流線型になるので、空気抵抗を少なくできる。また、バレル１４の部分が前後に２色に塗り分けられているので、２分割構成のバレルに見せることができる。これはデザイン的にも好まれるという特徴を持つ。着色のし易いプラスチック製のスリーブ１５により塗り分けができるので、任意の色分けができる。
【００１１】
図２は、ダーツ矢１０を分解した主要部の側面図である。
（ａ）は、スリーブ１５をかぶせた状態のバレル１４の側面図である。矢印の先に、それぞれ両端面図を示した。（ｂ）は、シャフト１６の側面図である。シャフト１６の前方にはねじ部２６が設けられている。シャフト１６のねじ部２６はバレル１４の後端ねじ孔２２にねじこまれる。また、シャフト１６の後端にはスリット１７が設けられている。このスリット１７にフライト１８が嵌め込まれる。（ｃ）は、チップ１２の側面である。チップ１２の後端にはねじ部２４が設けられている。チップ１２のねじ部２４はバレル１４の前端ねじ孔２０にねじこまれる。
【００１２】
図３は、バレル１４からスリーブ１５を取り外した状態を示す側面図である。
（ａ）はバレル１４の側面図で矢印の先にそれぞれ端部の横断面図を示した。（ｂ）はスリーブ１５の側面図で、矢印の先にそれぞれ端面図を示した。バレル１４の一端には縮径部２８が設けられている。ここに縮径部２８と嵌り合う貫通孔３０を備えたスリーブ１５がかぶせられる。
【００１３】
以上のように構成すると、バレル１４の縮径部２８の外径を調整することによって、バレル１４の中心を前の方に移動させることができる。すなわちダーツ矢１０の重心が前の方に寄る。縮径部２８の長さや半径を調整すると、自由に重心位置と重量調整ができる。また、全体として一定の重量を確保し強度を保つための金属製のバレルをスリーブ１５の長さ分だけ短く見せることができる。しかも、スリーブ１５を着色したり、スリーブ１５の下にある縮径部２８の着色をすることによって高い装飾効果を得ることができる。
【実施例２】
【００１４】
実施例１では、バレル１４に任意の着色を施して、バレル１４を２色構成に見せた。実施例２では、バレル１４を透明体にする。そして、バレル１４の縮径部２８に、バレル１４の他の部分と異なる色の着色を施す。この縮径部２８にバレル１４をかぶせると、外からは、着色が透けて見える。縮径部２８の外周をスリーブ１５で包囲するので、バレル１４の着色を、機械的な擦れから保護することができる。スリーブ１５の外面に、バレル１４からシャフト１６に至る滑らかな曲面が形成されている点は、実施例１と同様である。
【００１５】
以上のように、本発明のダーツ矢１０は重心調整ができ、かつデザイン性に優れたもので、利用者の間で広く採用される機能を持つ。
【図面の簡単な説明】
【００１６】
【図１】ダーツ矢１０の全体像を示す正面図である。
【図２】ダーツ矢１０を分解した主要部の側面図である。
【図３】バレル１４からスリーブ１５を取り外した状態を示す側面図である。
【符号の説明】
【００１７】
１０  ダーツ矢
１２  チップ
１４  バレル
１５  スリーブ
１６  シャフト
１７  スリット
１８  フライト
２０  前端ねじ孔
２２  後端ねじ孔
２４  チップのねじ部
２６  シャフトのねじ部
２８  縮径部
３０  貫通孔
【図１】
2010046256.tif 000003
【図２】
2010046256.tif 000004
【図３】
2010046256.tif 000005